(57)【要約】      （修正有）【課題】家庭での取り扱いが容易で、おろす際の肉体的負担が軽減された大根おろし器。【解決手段】上面開口を具備し、対向する側壁に一対のドラム支持用受穴(4b)をそれぞれ穿設したおろし器用容器(2)と、円筒状のドラム本体(4a)と、ドラム本体の側面全体に群設されたおろし爪(4a4)と、ハンドル貫通パイプ(4a3)と、ハンドル貫通パイプに対し挿脱可能な回転棒及び該回転棒の一端における設けた把持部(4c2)を具備するドラム回転ハンドル(4c)と、該ハンドル貫通パイプを該回転棒と一体的に回転させるための係止手段(4a32、4c3)とを備えたおろしドラム部(4)と、上面開口に対し着脱可能な蓋本体(3a)と、蓋本体の中央部に穿設した大根挿入口(3a3)と、大根挿入口に対し着脱可能であって下面に小爪(3b2)を群設した押え蓋(3b)とを備えた上蓋部(3)とを有する。【選択図】図１
0003128874.tif 000002
【実用新案登録請求の範囲】
【請求項１】
（Ａ）上面開口を具備し、対向する側壁に一対のドラム支持用受穴(4b)をそれぞれ穿設したおろし器用容器(2)と、
（Ｂ）円筒状のドラム本体(4a)と、前記ドラム本体の側面全体に群設されたおろし爪(4a4)と、前記ドラム本体の両端面間に掛架されたハンドル貫通パイプ(4a3)と、前記ハンドル貫通パイプに対し挿脱可能な回転棒及び該回転棒の一端における屈曲部として設けた把持部(4c2)を具備するドラム回転ハンドル(4c)と、前記ハンドル貫通パイプに前記回転棒を挿入し回転させるときに該ハンドル貫通パイプを該回転棒と一体的に回転させるための係止手段(4a32、4c3)とを備えたおろしドラム部(4)と、
（Ｃ）前記上面開口に対し着脱可能な蓋本体(3a)と、前記蓋本体の中央部に穿設した大根挿入口(3a3)と、前記大根挿入口に対し着脱可能であって下面に小爪(3b2)を群設した押え蓋(3b)とを備えた上蓋部(3)とを有し、
（Ｄ）前記ドラム回転ハンドルの回転棒を前記ドラム支持用受穴及び前記ハンドル貫通パイプに挿入することにより前記ドラム本体が前記おろし器用容器内に設置される、大根おろし器。
【請求項２】
前記係止手段が、前記回転棒に突設した引っ掛け金具と、前記回転棒の回転時に前記引っ掛け金具を受容可能に前記ハンドル貫通パイプの管体を切り欠いて設けた係止用切り欠きとを備えたことを特徴とする請求項１に記載の大根おろし器。
【考案の詳細な説明】
【技術分野】
【０００１】
本考案は、新規な構成を有する大根おろし器に関するものである。        
【背景技術】
【０００２】
従来、大根は、おろし金に大根を手ですり合わせて、すりおろしていた。おろし金としては、材質は、金属、陶器、ガラス、プラスチックなど多様なものが開発されていたが、いずれも平面状におろし歯が群設されたものが一般であった。
【０００３】
おろし金に大根を手ですり合わせることの肉体的負担を軽減し、またおろし歯に手があたることにより指を負傷することを防止するために、おろし歯に回転機構を取り付け、ハンドルで回転させることにより、大根をすりおろすことが知られている（特許文献１、特許文献２）。いずれもおろし面は、平面であり、それ以上の効率は得られていなかった。一方、電動式のものも知られている（特許文献３）。しかし、家庭で用いるには、おろされた大根の取り出し、使用後の洗浄の容易さも求められる。そこでさらに家庭で簡便に効率よく大根をおろすことのできる大根おろし器が望まれていた。
【特許文献１】特開平８−１０３３８５
【特許文献２】特開２００４−３５７９７１
【特許文献３】実公平７−１８３５０
【考案の開示】
【考案が解決しようとする課題】
【０００４】
本発明は、家庭での取り扱いが容易な手動式大根おろし器において、大根をおろす際の肉体的負担を軽減するとともに、効率を上げ、さらには作業時の安全性を確保することを目的としている。
【課題を解決するための手段】
【０００５】
本考案は、上述のような問題を解決するため、下記のようになるものである。請求項１記載の考案にあっては、
（Ａ）上面開口を具備し、対向する側壁に一対のドラム支持用受穴(4b)をそれぞれ穿設したおろし器用容器(2)と、
（Ｂ）円筒状のドラム本体(4a)と、前記ドラム本体の側面全体に群設されたおろし爪(4a4)と、前記ドラム本体の両端面間に掛架されたハンドル貫通パイプ(4a3)と、前記ハンドル貫通パイプに対し挿脱可能な回転棒及び該回転棒の一端における屈曲部として設けた把持部(4c2)を具備するドラム回転ハンドル(4c)と、前記ハンドル貫通パイプに前記回転棒を挿入し回転させるときに該ハンドル貫通パイプを該回転棒と一体的に回転させるための係止手段(4a32、4c3)とを備えたおろしドラム部(4)と、
（Ｃ）前記上面開口に対し着脱可能な蓋本体(3a)と、前記蓋本体の中央部に穿設した大根挿入口(3a3)と、前記大根挿入口に対し着脱可能であって下面に小爪(3b2)を群設した押え蓋(3b)とを備えた上蓋部(3)とを有し、
（Ｄ）前記ドラム回転ハンドルの回転棒を前記ドラム支持用受穴及び前記ハンドル貫通パイプに挿入することにより前記ドラム本体が前記おろし器用容器内に設置される、大根おろし器に関するものである。請求項２記載の考案にあっては、前記係止手段が、前記回転棒に突設した引っ掛け金具と、前記回転棒の回転時に前記引っ掛け金具を受容可能に前記ハンドル貫通パイプの管体を切り欠いて設けた係止用切り欠きとを備えたことを特徴とする大根おろし器に関するものである。
【考案の効果】
【０００６】
本考案は、上述のように構成され、ハンドルを回転させることにより大根をおろすことができるので、大根をおろす際の肉体的負担が軽減されることに加え、さらに、ドラム本体の回転面上全体にドラム回転軸に平行な複数列状に群設されたおろし爪により、平面的に配された従来の平面的おろし面に較べ、効率よく大根をおろすことができる。
【０００７】
そして、おろし面が容器内に入っていることから、おろし爪により手を負傷することなく、大根おろしを生成することができる。また、生成した大根おろしをおろし器用容器内にためた後、容器に備えられた縦排出溝をつたわせて容易に取り出すことができる。
【０００８】
さらには、ドラム本体４ａは、ドラム回転ハンドル４ｃの回転棒４ｃ１を、ドラム支持用受穴４ｂと、前記ドラム本体４ａのハンドル貫通パイプ４ａ３を貫通させることにより、おろし器用容器２に着脱可能であり、蓋本体３は、おろし器用容器２の上縁に着脱自在に嵌め込み可能であることから、本発明の大根おろし器は、上蓋部３、おろしドラム部４、おろし器容器部２に簡単に分解可能であって、洗浄の利便性に優れ、家庭内での簡便な使用に適する。
【考案を実施するための最良の形態】
【０００９】
図面を参照して実施の形態の詳細を説明する。
図１は、本発明の大根おろし器の全体の分解斜視図である。１は本考案の大根おろし器である。その構成は、おろし器用容器２と、上蓋部３と、おろしドラム部４から構成されている。
【００１０】
図２は、ドラム本体の軸芯に沿って断面した縦断面図である。また、図３は、図２のＡ−Ａ線断面図である。おろし器用容器２は、上面全体が開口になっており、平面方形に構成された底面２ａの外周に上方に向け連設された側壁２ｂから構成され、側壁２ｂの背面には把手２ｃが外方に向け突設され、かつ対向する側壁２ｂに一対のドラム支持用受穴４ｂがそれぞれ穿設されており、正面にはおろされた大根を排出する縦排出溝２dが外方に膨大した状態で形成されている。
【００１１】
上蓋部３は、蓋本体３ａと押え蓋３ｂから構成されている。
【００１２】
蓋本体３ａは、おろし器用容器２の開口部に対応する形状に構成された天板３ａ１と、天板の外周に下方に向け連設された縁３ａ２と、天板における略後方部分に開設された大根挿入口３ａ３と、大根挿入口の内周辺に下方に向け連設された短い筒状の誘導縁３ａ４から構成されている。
【００１３】
押え蓋３ｂは、大根挿入口の面積より少し大きく構成された平板３ｂ1と、平板の下面に群設された小つめ３ｂ2と、平板の上面中央に突出させたつまみ３ｂ３から構成されている。
【００１４】
おろしドラム部４は、円筒状のドラム本体４aとドラム支持用受穴４b とドラム回転ハンドル４cから構成されている。
【００１５】
円筒状のドラム本体４aは、おろし器用容器２の側壁２ｂにおける左右面間の寸法に対応するよう構成された円筒状のドラム４a１と、ドラム体の左右端に張設された円盤状の側板４a２と、側板４a２の中心に掛架されたハンドル貫通パイプ４ａ３と、ドラム体の表面に群設されたおろし爪４ａ４から構成されている。
【００１６】
そして、図５は、ドラム本体の一部を切り欠いた斜視図である。ハンドル貫通パイプ４ａ３は、パイプの左端から中央部までに刻設された引っ掛け金具の移動用溝４ａ３１と、この移動用溝の先端に形成した引っ掛け金具の係止用切欠き４ａ３２から構成されている。
【００１７】
また、図４は押え蓋を取り除いた状態の上方から見た平面図である。おろし爪４ａ４は、ドラムの回転面全体に配されている。具体的には、例えばドラムの回転軸に平行な横１列に等間隔ですべてのおろし爪が回転方向（図３の矢印）を向くように配したものを複数列、ドラム回転面上に各列が等間隔で回転面上を１周するように配する。おろし爪の数は、多いほど作業効率は高まるが、おろし爪間の間隔があまりに密であると、生成したおろしが爪の間に詰まることもあるので、適度な間隔を空けることも必要である。好ましくはおろし爪の１列あたりの個数は１０ｃｍあたり１０〜２０個、列間隔はドラム回転軸に対し、５度から２０度であるが、他の個数であってもよい。
【００１８】
ドラム支持用受穴４bは、おろし器用容器２の側壁２ｂにおける把手と縦排出溝を結ぶ方向と直交する方向にあって対向する面に、大根挿入口３ａ３に対する下方位置をもって開設された左右の受穴体４b１から構成されている。
【００１９】
ドラム回転ハンドル４cは、左右の受穴体４ｂ1とハンドル貫通パイプ４ａ３に貫入される回転棒４ｃ1と、回転棒の一端に連結された屈曲部として設けた把持部４c２と、回転棒の上面中央に突出させた引っ掛け金具４c３から構成されている。
【００２０】
図６は、ドラム本体とドラム回転ハンドルの関係を説明する縦断面図である。ハンドル４ｃは、ドラム本体４ａと着脱可能である。すなわち、引っ掛け金具４ｃ３を、引っ掛け金具の移動用溝４ａ３１に合わせることにより、ハンドル貫通パイプ４ａ３中に回転棒４ｃ１を挿入でき、挿入後、引っ掛け金具４ｃ３を、ハンドル貫通パイプ４ａ３の管体を切り欠いて設けた引っ掛け金具の係止用切欠き４ａ３２の位置に移動することにより、ドラム本体に固定される。引っ掛け金具の係止用切欠き４ａ３２が回転方向側にあるため、回転時は引っ掛け金具４ｃ３は確実に係止されて抜け出さないと同時に、回転棒４ｃ１とハンドル貫通パイプ４ａ３１すなわちドラム本体が一体的に回転することができる。ハンドル４ｃを外すときは、逆に引っ掛け金具４ｃ３を引っ掛け金具の係止用切欠き４ａ３２の位置から引っ掛け金具の移動用溝４ａ３１に移動させることにより、ハンドル貫通パイプ４ａ３から回転棒４ｃ１を引き抜くことができる。
【００２１】
ドラム本体は、左右のドラム支持用受穴４ｂにより支持されたハンドル４ｃの回転棒４ｃ１を上記の通り、ハンドル貫通パイプ４ａ３中に貫通させることにより、おろし器用容器２内に設置される。その際、ドラム表面のおろし爪は、回転方向を向くように設置する。
【００２２】
本発明の大根おろし器の使用方法を説明する。
【００２３】
図７は、使用状態を説明する縦断面図である。図７中、２ｅは滑り止めマットである。このマットに代え底面の下面に下方に向けた公知の吸盤を取り付けることもできる。
【００２４】
図７に示すように、大根５の一方の端を押え蓋３ｂの小つめ３ｂ２により押え蓋３ｂに固定し、固定されていない大根のもう一方の端を大根挿入口３a３から立てた状態でおろしドラムに達するまで容器内に挿入する。そして、押さえ蓋３ｂで大根５を下方に押しつけながらドラム本体を前方に回転させ、大根おろし５ａを作る。
【００２５】
おろし器用容器にたまった大根おろし５ａは、上蓋部を外し、縦排出溝２dをつたわせて、食に供される器等に移動させる。
【００２６】
使用後は、ドラム回転ハンドル４ｃを引き抜きドラムを外し、上蓋３、おろしドラム４、おろし器用容器２に分解して洗う。
【図面の簡単な説明】
【００２７】
【図１】全体の分解斜視図である。
【図２】ドラム本体の軸芯に沿って断面した縦断面図である。
【図３】Ａ−Ａ線断面図である。
【図４】押え蓋を取り除いた状態の上方から見た平面図である。
【図５】ドラム本体の一部を切り欠いた斜視図である。
【図６】ドラム本体とドラム回転ハンドルの関係を説明する縦断面図である。
【図７】使用状態を説明する縦断面図である。
【符号の説明】
【００２８】
１  大根おろし器
２  おろし器用容器
２ａ  底面
２ｂ  側壁
２ｃ  把手
２ｄ  縦排出溝
２ｅ  滑り止めマット
３  上蓋部
３ａ  ふた本体
３ａ１  天板  
３ａ２  縁
３ａ３  大根挿入口
３ａ４  誘導縁
３ｂ  押え蓋
３ｂ１  平板
３ｂ２  小つめ
３ｂ３  つまみ
４  おろしドラム部
４ａ  ドラム本体
４ａ１  ドラム
４ａ２  円盤状側板
４ａ３  ハンドル貫通パイプ
４ａ３１  引っ掛け金具の移動用溝
４ａ３２  引っ掛け金具の係止用切欠き
４ａ４  おろし爪
４ｂ  ドラム支持用受穴
４ｂ１  受穴体
４ｃ  ドラム回転ハンドル
４ｃ１  回転棒
４ｃ２  把持部
４ｃ３  引っ掛け金具
５  大根
５ａ  大根おろし
【図１】
0003128874.tif 000003
【図２】
0003128874.tif 000004
【図３】
0003128874.tif 000005
【図４】
0003128874.tif 000006
【図５】
0003128874.tif 000007
【図６】
0003128874.tif 000008
【図７】
0003128874.tif 000009